(57)【要約】      （修正有）【課題】粉体が粘性を有していても、ランニングコストがかかることなく簡単な構造で、粉体がロータの羽根やボスに付着・成長することのないロータリーバルブを提供する。【解決手段】複数の羽根1をボス部2ａに略放射状に設けたロータ2と、上下に開口3・4をそれぞれ設けかつこれら開口3・4の間にロータ2を回転可能にして内装したケーシング5と、を備え、ロータ2の回転により、上部側開口3から導入された粉体を、ロータ2における相隣接する二枚の羽根1とケーシング5とで画成された収容空間の内部に保持して、下部側開口4から排出させるロータリーバルブにおいて、ロータ2のボス部2ａにおける複数の羽根１で仕切る複数の部分のそれぞれに、可撓性および耐摩耗性を有する紐状物体9を適宜の位置で点的に保持して取り付けたことを特徴とする。【選択図】    図１
2006298592.tif 000002
【特許請求の範囲】
【請求項１】
複数の羽根をボス部に略放射状に設けたロータと、上下に開口をそれぞれ設けかつこれら開口の間に前記ロータを回転可能にして内装したケーシングと、を備え、前記ロータの回転により、上部側開口から導入された粉体を、前記ロータにおける相隣接する二枚の羽根と前記ケーシングとで画成された収容空間の内部に保持して、下部側開口から排出させるロータリーバルブにおいて、
前記ロータのボス部における前記複数の羽根で仕切る複数の部分のそれぞれに、可撓性および耐摩耗性を有する紐状物体を適宜の位置で点的に保持して取り付けたことを特徴とするロータリーバルブ。
【請求項２】
請求項1に記載のロータリーバルブにおいて、  
前記紐状物体は金属製のチェーンであることを特徴とするロータリーバルブ。
【請求項３】
請求項1または２に記載のロータリーバルブにおいて、  
前記紐状物体を、前記ロータのボス部にこれの長手方向に沿いかつ保持した部分間を適当に弛ませた状態で両端近傍の２箇所で保持したことを特徴とするロータリーバルブ。
【発明の詳細な説明】
【技術分野】
【０００１】
本発明は、ロータリーバルブの改良に関する。
【背景技術】
【０００２】
従来、ホッパ等内の粉体を連続して定量供給する装置としてロータリーバルブ（ロータリーフィーダ）が知られている。そして、このロータリーバルブは一般に、複数の羽根をボス部に略放射状に設けたロータと、上下に開口をそれぞれ設けかつこれら開口の間に前記ロータを回転可能にして内装したケーシングと、を備え、前記ロータの回転により、上部側開口から導入された粉体を、前記ロータにおける相隣接する二枚の羽根と前記ケーシングとで画成された収容空間の内部に保持して、下部側開口から排出させるように構成されている。
【０００３】
ところで、このように構成された従来のロータリーバルブでは、粉体が粘性を有する場合には、この粉体がロータの羽根やボス部に付着・成長して羽根間に残存し、終には粉体を定量的かつ円滑に送り出す機能を果たさなくなる。
このため、サイドプレートを有しないロータの排出側の正面方向および側面方向から同時にロータに向けて気体を噴射する手段を設けたロータリーバルブが提案されている。
【特許文献１】特開２００２−２１１７４６号公報
【発明の開示】
【発明が解決しようとする課題】
【０００４】
しかし、このように構成された従来のロータリーバルブでは、ロータリーバルブの稼動中に気体を噴射するためランニングコストがかかるうえ、気体を噴射するための大型で高価な装置が別途必要になり、その結果、設備が嵩むなどの問題があった。
本発明は、上記の事情に鑑みてなされたもので、その目的は、粉体が粘性を有していても、ランニングコストがかかることなく簡単な構造で、粉体がロータの羽根やボスに付着・成長することのないロータリーバルブを提供することにある。
【課題を解決するための手段】
【０００５】
上記の目的を達成するために本発明のロータリーバルブは、複数の羽根をボス部に略放射状に設けたロータと、上下に開口をそれぞれ設けかつこれら開口の間に前記ロータを回転可能にして内装したケーシングと、を備え、前記ロータの回転により、上部側開口から導入された粉体を、前記ロータにおける相隣接する二枚の羽根と前記ケーシングとで画成された収容空間の内部に保持して、下部側開口から排出させるロータリーバルブにおいて、前記ロータのボス部における前記複数の羽根で仕切る複数の部分のそれぞれに、可撓性および耐摩耗性を有する紐状物体を適宜の位置で点的に保持して取り付けたことを特徴とする。
【０００６】
このように構成されたものは、ロータを回転させ、粘性を有する粉体をケーシングの上部側開口に導入して送り出すと、ロータの回転に伴い紐状物体が慣性力と自重とにより揺動して、ロータの羽根やボスに塊状化しようとする粉体を粉砕し、その結果、粉体がロータの羽根やボスに付着・成長するのを未然に防止しして粉体を定量的かつ円滑にケーシングの下部側開口から送り出すこととなる。
【発明の効果】
【０００７】
以上の説明から明らかなように本発明は、複数の羽根をボス部に略放射状に設けたロータと、上下に開口をそれぞれ設けかつこれら開口の間に前記ロータを回転可能にして内装したケーシングと、を備え、前記ロータの回転により、上部側開口から導入された粉体を、前記ロータにおける相隣接する二枚の羽根と前記ケーシングとで画成された収容空間の内部に保持して、下部側開口から排出させるロータリーバルブにおいて、前記ロータのボス部における前記複数の羽根で仕切る複数の部分のそれぞれに、可撓性および耐摩耗性を有する紐状物体を適宜の位置で点的に保持して取り付けたから、ロータの回転に伴い紐状物体が揺動して、ロータの羽根やボスに塊状化しようとする粉体を粉砕するため、粉体が粘性を有していても、この粉体がロータの羽根やボスに付着・成長するのを未然にして確実に防止することができるなどの優れた実用的効果を奏する。
【発明を実施するための最良の形態】
【０００８】
以下、本発明を適用したロータリーバルブの最良の形態について図１に基づき詳細に説明する。本ロータリーバルブは、図示するように、複数の羽根１・１をボス部2ａに略放射状に設けたロータ2と、上下に開口３・４をそれぞれ設けかつこれら開口３・４の間に前記ロータ2を回転可能にして内装したケーシング5と、で構成してある。
【０００９】
そして、前記ロータ２は前記ケーシング５の左右側壁に軸受６・６介して回転自在に架設された左右に延びる回転軸７に嵌着してあり、この回転軸７の左端は鎖車８、ローラーチェーン（図示せず）および鎖車（図示せず）を介して図示しない減速機付モータに連結してある。また、前記ロータ２のボス部2ａにおける前記複数の羽根１・１で仕切る複数の部分のそれぞれには、可撓性および耐摩耗性を有する紐状物体としての金属製のチェーン９が、前記ボス部2ａの長手方向に沿いかつ保持した部分間を適当に弛ませた状態で両端近傍の２箇所で保持部品１０・１０を介して取り付けある。
なお、図中符号１１はホッパである。
【００１０】
このように構成したものは、減速機付モータの駆動により回転軸７を介してロータ２を矢印方向へ回転させ、粘性を有する粉体をケーシング5の開口３に導入して送り出すと、ロータ２の回転に伴いチェーン９・9が慣性力と自重とにより揺動して、ロータ2の羽根1・1やボス2ａに塊状化しようとする粉体を粉砕し、その結果、粉体がロータの羽根やボスに付着・成長するのを防止しして粉体を定量的かつ円滑にケーシング5の開口4から送り出すこととなる。
【図面の簡単な説明】
【００１１】
【図１】本発明を適用したロータリーバルブの最良の形態の縦断面図である。
【図２】図1の縦断側面図である。
【符号の説明】
【００１２】
1         
羽根
2         
ロータ
3；4    開口
5     
ケーシング
9    チェーン
【図１】
2006298592.tif 000003
【図２】
2006298592.tif 000004